(57)【要約】  板体（１）、水室（２）及び防水バッフル（３）を備える多チャンネル組合せ水冷板であって、板体（１）は少なくとも２本の配管（４）からなり、配管（４）は、一般的に単一孔丸パイプであり、配管（４）を流路の形状に応じて１本ずつ曲げた後、並列に組み合わせて板体（１）が構成され、板体（１）は、平板又は配管溝付き平板である基板に取り付けることができ、水室（２）は水室底板（５）と水室蓋板（６）からなり、水室（２）には水管継手（９）が取り付けられ、防水バッフル（３）が水室（２）と板体（１）との間に取り付けられ、配管（４）が防水バッフル（３）を貫通し、隣接する配管（４）の流れ方向は反対に設定することができる。当該構造は、流路分布に柔軟性があり、加工が容易で、板体が軽くて薄く、溶接面が小さく、信頼性が高く、均等に放熱して効果がよく、かつ流量と流れ抵抗が調整可能であり、放熱効率が高い。
2019513971.tif 000002
【特許請求の範囲】
【請求項１】
板体は少なくとも２本の配管からなり、前記配管は、流路の形状に応じて１本ずつ曲げられて、並列に組み合わされて板体を構成することを特徴とする多チャンネル組合せ水冷板。
【請求項２】
前記板体と水室との間に防水バッフルが取り付けられ、前記配管が前記防水バッフルを貫通することを特徴とする請求項１に記載の水冷板。
【請求項３】
水室は水室底板と水室蓋板からなり、前記水室には水管継手が取り付けられ、流路の接続方式は、水室バッフルを用いて前記水室を若干の小水室に分割して、前記配管の両端を前記水室底板に貫通させて前記各小水室及び水管継手を連通して流路を形成することであることを特徴とする請求項１又は２に記載の水冷板。
【請求項４】
前記水室は水室底板と水室蓋板からなり、前記水室には水管継手が取り付けられ、流路の接続方式は、複数の前記水室を用い、前記配管の両端を前記水室底板に貫通させて前記各水室及び水管継手を連通して流路を形成することであることを特徴とする請求項１又は２に記載の水冷板。
【請求項５】
前記板体は、平板である基板に取り付けられることを特徴とする請求項１又は２に記載の水冷板。
【請求項６】
前記板体は、配管溝付き平板である基板に取り付けられることを特徴とする請求項１又は２に記載の水冷板。
【請求項７】
前記板体の流れ方向は、均熱効果を達成するように反対に設定されることを特徴とする請求項１又は２に記載の水冷板。
【発明の詳細な説明】
【技術分野】
【０００１】
本発明は、電子デバイスに関し、特にパワーバッテリー、サーバ、ネットワークデバイスなどの高出力電子デバイスによって生成される熱の散逸に関する。
【背景技術】
【０００２】
水冷放熱技術は、効率的な放熱ソリューションとして電子デバイスにますます広く応用され、水冷板は、水冷放熱システムの重要な要素として、水冷放熱システムのクリティカルパーツ及びコア部材に属し、水冷板の設計と製造のレベルは、放熱システムの放熱効率及び信頼性などの重要な技術指標を決定する。
【０００３】
出願人は、出願番号２０１３２０１３６０６８−３の出願に、多孔扁平パイプ型材を基板として、多孔扁平パイプの管壁に孔を水出入口として開設して水管継手を溶接してなる多孔扁平パイプによる水冷板を提案した。多孔扁平パイプによる水冷板は、加工が容易で、溶接面が小さく、板体が軽くて薄くかつ水路が大きいが、水冷板の幅が多孔扁平パイプ型材の幅によって制限されるという欠点を有する。多孔扁平パイプを水平に曲げることができれば、多孔扁平パイプによる水冷板の幅を倍増することができ、多孔扁平パイプ型材の制限を破ることができ、かつこのような水冷板は、出願人が出願番号２０１４１００５３５４２−５の出願に提案した多孔扁平パイプによる複合水冷板に比べて、溶接シームが少ないという利点を有する。しかしながら、多孔扁平パイプを水平に曲げることは容易ではなく、多孔扁平パイプの幅が広い程、曲げ半径が小さくなり、曲げの内側と外側の弧長の差が大きくなり、材料の伸張と圧縮の限界を破るのが容易になる。
【発明の概要】
【発明が解決しようとする課題】
【０００４】
上記のような優れた特性を有する水冷板を得るために、本発明は、複数本の配管を用いて１本ずつ曲げた後、並列に組み合わせて水冷板が構成され、多孔扁平パイプによる水冷板を水平に曲げた後の形状と類似である多チャンネル組合せ水冷板を提供する。
【課題を解決するための手段】
【０００５】
本発明がその技術課題を解決するために採用する技術案は、
多チャンネル組合せ水冷板であって、板体、水室及び防水バッフルを備える。板体は少なくとも２本の配管からなり、配管は、丸パイプ、四角パイプ又は扁平パイプであり、単一孔又は多孔であり、一般的に単一孔丸パイプである。配管を流路の形状に応じて１本ずつ曲げた後、並列に組み合わせて板体が構成される。板体は、平板又は配管溝付き平板である基板に取り付けることができる。板体は、必要に応じてレベリング処理を行う。水室は水室底板と水室蓋板からなり、水室底板又は水室蓋板には水管継手が取り付けられる。防水バッフルが水室と板体との間に取り付けられ、配管が防水バッフルを貫通する。流路の１つの接続方式は、水室バッフルを用いて水室を若干の小水室に分割して、配管の両端を水室底板に貫通させて各小水室及び水管継手を連通して流路を形成することである。流路の別の接続方式は、複数の水室を用い、配管の両端を水室底板に貫通させて各水室と水管継手を連通して流路を形成することである。隣接する配管の流れ方向は、均熱効果を達成するように反対に設定することができる。
【発明の効果】
【０００６】
本発明の有益な効果は以下の通りである。当該水冷板は、配管を流路の形状に応じて１本ずつ曲げて、並列に組み合わせて板体が構成されており、その利点は、流路分布に柔軟性があり、加工が容易で、板体が軽くて薄いことであり、溶接シームが水室部分に集中しており、その利点は、溶接面が小さく、信頼性が高いことであり、水冷板の電子デバイスと接触する部分に溶接シームがなく、かつ防水バッフルを用いて水室と板体を隔離することにより、漏れた冷却水が電子デバイスへ流れることを防ぐことができ、その利点は、安全性が高いことであり、配管で水室又は小水室を連通して流路が形成されており、その利点は、流路の組合せに柔軟性があり、均等に放熱して効果がよく、流量と流れ抵抗が調整可能であり、放熱効率が高いことであり、隣接する配管の流れ方向が反対に設定することができ、その利点は均熱效果を達成することができることである。
【図面の簡単な説明】
【０００７】
【図１】図１は本発明に係る水冷板の斜視模式図である。
【図２】図２は本発明に係る水冷板の水室の構造の模式図である。
【図３】図３は本発明に係る水冷板の平面模式図である。
【発明を実施するための形態】
【０００８】
以下、図面及び実施例を参照しながら本発明を更に説明する。
【０００９】
図１、２、３に示すように、板体１、水室２及び防水バッフル３を備える多チャンネル組合せ水冷板である。板体１は、少なくとも２本の配管４からなり、配管４は単一孔丸パイプである。配管４を流路の形状に応じて１本ずつ曲げた後、並列に組み合わせて板体１が構成される。板体１に対してレベリング処理を行う。水室２は水室底板５と水室蓋板６からなり、水室蓋板６に水管継手９が取り付けられる。防水バッフル３は水室２と板体１との間に取り付けられ、配管４が防水バッフル３を貫通する。流路の接続方式は、水室バッフル７を用いて水室２を若干の小水室８に分割して、配管４の両端を水室底板５に貫通させて各小水室８と水管継手９を連通して流路を形成することである。隣接する配管４の流れ方向が反対に設定されて、均熱効果が達成される。
【符号の説明】
【００１０】
１−板体、２−水室、３−防水バッフル、４−配管、５−水室底板、６−水室蓋板、７−水室バッフル、８−小水室、９−水管継手
【図１】
2019513971.tif 000003
【図２】
2019513971.tif 000004
【図３】
2019513971.tif 000005
【国際調査報告】
2019513971.tif 000006
2019513971.tif 000007
2019513971.tif 000008
2019513971.tif 000009
2019513971.tif 000010
2019513971.tif 000011